【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
システムであって、
１またはそれ以上のコンピュータ・サーバであって、各々がプロセッサおよびメモリを備えるコンピュータ・サーバと、
無線ネットワークを介して前記１またはそれ以上のコンピュータ・サーバと通信する移動コンピューティング・デバイスとを備えており、
前記移動コンピューティング・デバイスは、取り付けられた外部記憶媒体と通信し、
該外部記憶媒体は、前記移動コンピューティング・デバイスが前記無線ネットワークを介した前記１またはそれ以上のコンピュータ・サーバとの通信を可能にするユーザ・データおよびセキュリティ・データを該外部記憶媒体に格納しており、
前記移動コンピューティング・デバイスが所定の時間期間にわたり前記無線ネットワークを介して前記１またはそれ以上のコンピュータ・サーバに接続しない際に、前記移動コンピューティング・デバイスをその出荷時の設定に戻すために、前記移動コンピューティング・デバイスの設定を一掃するように構成される、システム。
【請求項２】
請求項１に記載のシステムにおいて、前記外部記憶媒体は、永続記憶デバイス及びコンパクト・フラッシュ記憶媒体の何れかである、システム。
【請求項３】
請求項１に記載のシステムにおいて、前記ユーザ・データは、前記移動コンピューティング・デバイスのユーザが一部を成す企業のヘルプ・デスク組織のメンバによって事前構成される、システム。
【請求項４】
請求項１に記載のシステムにおいて、前記セキュリティ・データは、暗号情報を含むシステム。
【請求項５】
請求項１に記載のシステムであって、前記ユーザ・データは、前記移動コンピューティング・デバイスに関連するアドレス指定情報及びデバイス情報を含むシステム。
【請求項６】
システムであって、
移動コンピューティング・デバイスであって、
該移動コンピューティング・デバイスが所定の時間期間にわたり無線ネットワークを介して１またはそれ以上のコンピュータ・サーバに接続しない際に、該移動コンピューティング・デバイスをその出荷時の設定に戻すために、該移動コンピューティング・デバイスの設定を一掃するように構成される、デバイス・ワイプ・モジュールと、
インストール・モジュールと、
デバイス・セキュリティ検証モジュールと、
コア・ランタイム・エージェントと、
メッセージ検証モジュールと、
カード整合性検証モジュールと、
を備える移動コンピューティング・デバイスと、
前記移動コンピューティング・デバイスと通信するコンピュータであって、
構成ジェネレータと、
プロファイル・ジェネレータと、
ユーザ・データおよびセキュリティ・データを、前記移動コンピューティング・デバイスに取り付けられた外部記憶媒体に格納するための書き込みモジュールと、
を備えるコンピュータと
を備える、システム。
【請求項７】
請求項６に記載のシステムにおいて、
前記コンピュータは、前記ユーザ・データおよび前記セキュリティ・データについてのカスタマイズ・オペレーションをもたらすように構成される、システム。
【請求項８】
１またはそれ以上のコンピュータ・サーバと通信する移動コンピューティング・デバイスのオペレーションを円滑にする方法であって、
ユーザ・データおよびセキュリティ・データを有するプロファイルを、前記移動コンピューティング・デバイスに取り付けられた外部記憶媒体から前記移動コンピューティング・デバイス上にロードするステップと、
前記移動コンピューティング・デバイスを、無線ネットワークを介して前記１またはそれ以上のコンピュータ・サーバに接続するステップと、
前記１またはそれ以上のコンピュータ・サーバによって指示された際に、前記移動コンピューティング・デバイスにおいてアクションを実行するステップと、
前記移動コンピューティング・デバイスが所定の時間期間にわたり前記無線ネットワークを介して前記１またはそれ以上のコンピュータ・サーバに接続しない際に、前記移動コンピューティング・デバイスのデバイス・ワイプ・モジュールによって、前記移動コンピューティング・デバイスをその出荷時の設定に戻すために、前記移動コンピューティング・デバイスの設定を一掃するステップと
を含む方法。
【請求項９】
請求項８に記載の方法であって、さらに、
前記移動コンピューティング・デバイスを用いて、前記プロファイルのチェックサムを検証するステップを含む方法。
【請求項１０】
請求項８に記載の方法であって、さらに、
デバイス・セキュリティ検証モジュールを用いて、前記移動コンピューティング・デバイスに対してセキュリティ・チェックを実行するステップを含む方法。
【請求項１１】
請求項８に記載の方法であって、さらに、
前記移動コンピューティング・デバイスを用いて、パスワードを介して前記移動コンピューティング・デバイスのユーザを認証するステップを含む方法。
【請求項１２】
移動コンピューティング・デバイスについてのユーザ・データおよびセキュリティ・データを事前構成する方法であって、
前記移動コンピューティング・デバイスのユーザからユーザ名を要求するステップと、
前記ユーザについての前記ユーザ・データおよび前記セキュリティ・データを生成するステップと、
前記ユーザ・データおよび前記セキュリティ・データを、前記移動コンピューティング・デバイスに取り付けられた外部記憶媒体に格納するステップと、
前記移動コンピューティング・デバイスが所定の時間期間にわたり前記無線ネットワークを介して１またはそれ以上のコンピュータ・サーバに接続しない際に、前記移動コンピューティング・デバイスをその出荷時の設定に戻すために、前記移動コンピューティング・デバイスの設定を一掃するステップと
を含む方法。
【請求項１３】
請求項１２に記載の方法であって、さらに、
前記ユーザに、前記移動コンピューティング・デバイスが通信する無線ネットワークにアクセスする資格があることを検証するステップを含む方法。
【請求項１４】
移動コンピューティング・デバイスであって、該移動コンピューティング・デバイスに格納したコンピュータ可読プログラム・コードを有するコンピュータ可読媒体を備えており、
プロセッサが、
ユーザ・データおよびセキュリティ・データを有するプロファイルを、前記移動コンピューティング・デバイスに取り付けられた外部記憶媒体から該移動コンピューティング・デバイス上にロードし、
前記移動コンピューティング・デバイスを無線ネットワークに接続し、
１またはそれ以上のコンピュータ・サーバによって指示された際に、前記移動コンピューティング・デバイス上でアクションを実行し、
前記移動コンピューティング・デバイスが所定の時間期間にわたり前記無線ネットワークを介して前記１またはそれ以上のコンピュータ・サーバに接続しない際に、前記移動コンピューティング・デバイスをその出荷時の設定に戻すために、前記移動コンピューティング・デバイスの設定を一掃する
ことを実行するように、前記コンピュータ可読プログラム・コードを適合させる、移動コンピューティング・デバイス。
【請求項１５】
請求項８に記載の方法であって、さらに、
前記外部記憶デバイスが所定の時間期間にわたり前記移動コンピューティング・デバイスと通信しなかった際に、前記移動コンピューティング・デバイスをその出荷時の設定に戻すために、前記移動コンピューティング・デバイスの設定を一掃するステップを含む方法。
【請求項１６】
請求項１２に記載の方法であって、さらに、
前記外部記憶媒体が所定の時間期間にわたり前記移動コンピューティング・デバイスと通信しなかった際に、前記移動コンピューティング・デバイスをその出荷時の設定に戻すために、前記移動コンピューティング・デバイスの設定を一掃するステップを含む方法。
【請求項１７】
請求項１５に記載の方法であって、さらに、
前記外部記憶媒体の整合性検査が不合格であった際に、前記移動コンピューティング・デバイスをその出荷時の設定に戻すために、前記移動コンピューティング・デバイスのワイプ・システムを備える、方法。